(57)【要約】【課題】送信先のサーバへ負担をかけることなく画像を転送すること。【解決手段】本発明の画像転送装置は、送信する画像を画像入力部２００２で取り込み、この取り込んだ画像を画像登録部２００５がＬＡＮ８０等のネットワークに接続されたプロキシサーバ１２等のサーバに登録する。また、電子メール管理部２００６により、画像が登録されているサーバのアドレスをその画像の送信先に電子メールとして送信する。これにより、画像の送信先には画像が登録されたサーバのアドレスのみが電子メールとして送信され、送信先のサーバに負担をかけることなく画像を参照してもらうことができるようになる。【選択図】図１
2005117672.tif 000002
【特許請求の範囲】
【請求項１】
画像を受信する画像受信手段と、
前記画像受信手段で受信した画像をネットワークに接続されたサーバに登録する登録手段と、
前記画像が登録されているサーバのアドレスを前記画像の送信先に送信するアドレス送信手段と
を備えていることを特徴とする画像転送装置。
【請求項２】
画像を受信する画像受信手段と、
前記画像受信手段で受信した画像に基づき該画像の送信先とサーバのアドレスとを識別する識別手段と、
前記識別手段で識別した前記サーバのアドレスへ前記画像を登録する登録手段と、
前記登録手段で前記画像を登録した前記サーバのアドレスを前記識別手段で識別した前記画像の送信先へ送信するアドレス送信手段と
を備えていることを特徴とする画像転送装置。
【請求項３】
画像を受信する画像受信手段と、
前記画像受信手段で受信した画像に基づき画像の送信先を識別する識別手段と、
予め登録されたサーバのアドレスへ前記画像を登録する登録手段と、
前記登録手段で前記画像を登録した前記サーバのアドレスを前記識別手段で識別した送信先へ送信するアドレス送信手段と
を備えていることを特徴とする画像転送装置。
【請求項４】
前記画像の送信先もしくは前記サーバのアドレスが識別できなかった場合に前記画像を用紙出力または所定の電子メールアドレスへ電子メールとして送信する排出手段を備えている
ことを特徴とする請求項１〜３のうちいずれか１項に記載の画像転送装置。
【請求項５】
前記画像の送信先もしくは前記サーバのアドレスが識別できなかった場合に前記画像を予め決められたサーバへ登録するとともに、予め決められた管理者へ前記サーバのアドレスを送信する排出手段を備えている
ことを特徴とする請求項１〜３のうちいずれか１項に記載の画像転送装置。
【請求項６】
前記画像の送信先もしくは前記サーバのアドレスが識別できなかった場合に前記画像を予め決められた管理者の電子メールアドレスへ電子メールとして送信する排出手段を備えている
ことを特徴とする請求項１〜３のうちいずれか１項に記載の画像転送装置。
【請求項７】
前記画像を電子メールとして送信するメール送信手段と、
前記メール送信手段もしくは前記アドレス送信手段のいずれかで送信を行うかの選択を行う選択手段と
を備えることを特徴とする請求項１〜３のうちいずれか１項に記載の画像転送装置。
【請求項８】
画像を受信する画像受信手段、前記画像受信手段で受信した画像をネットワークに接続されたサーバに登録する登録手段、前記登録手段によって画像が登録されたサーバのアドレスを前記画像の送信先に送信するアドレス送信手段を備える画像転送装置と、
前記アドレス送信手段によって送信された前記サーバのアドレスから前記画像を参照可能にする端末と
を有することを特徴とする画像転送システム。
【請求項９】
画像を受信する工程と、
受信した前記画像をネットワークに接続されたサーバに登録する工程と、
前記画像が登録されているサーバのアドレスを前記画像の送信先に送信する工程と
を有することを特徴とする画像転送方法。
【請求項１０】
画像を受信する工程と、
受信した前記画像に基づき該画像の送信先とサーバのアドレスとを識別する工程と、
識別した前記サーバのアドレスへ前記画像を登録する工程と、
前記画像を登録した前記サーバのアドレスを先に識別した前記画像の送信先へ送信する工程と
を有することを特徴とする画像転送方法。
【請求項１１】
画像を受信する工程と、
受信した前記画像に基づき該画像の送信先を識別する工程と、
予め登録されたサーバのアドレスへ前記画像を登録する工程と、
前記画像を登録した前記サーバのアドレスを先に識別した送信先へ送信する工程と
を有することを特徴とする画像転送方法。
【請求項１２】
画像を受信する画像受信手段と、
前記画像受信手段で受信した画像をネットワークに接続されたサーバに登録する登録手段と、
前記画像が登録されているサーバのアドレスを前記画像の送信先に送信するアドレス送信手段と
を備えていることを特徴とするファクシミリ装置。
【請求項１３】
画像を受信する画像受信手段と、
前記画像受信手段で受信した画像に基づき該画像の送信先とサーバのアドレスとを識別する識別手段と、
前記識別手段で識別した前記サーバのアドレスへ前記画像を登録する登録手段と、
前記登録手段で前記画像を登録した前記サーバのアドレスを前記識別手段で識別した前記画像の送信先へ送信するアドレス送信手段と
を備えていることを特徴とするファクシミリ装置。
【請求項１４】
画像を受信する画像受信手段と、
前記画像受信手段で受信した画像に基づき画像の送信先を識別する識別手段と、
予め登録されたサーバのアドレスへ前記画像を登録する登録手段と、
前記登録手段で前記画像を登録した前記サーバのアドレスを前記識別手段で識別した送信先へ送信するアドレス送信手段と
を備えていることを特徴とするファクシミリ装置。
【請求項１５】
画像を受信する画像受信手段と、
前記画像受信手段で受信した画像をネットワークに接続されたサーバに登録する登録手段と、
前記画像が登録されているサーバのアドレスを前記画像の送信先に送信するアドレス送信手段と
を備えていることを特徴とするファクシミリサーバ。
【請求項１６】
画像を受信する画像受信手段と、
前記画像受信手段で受信した画像に基づき該画像の送信先とサーバのアドレスとを識別する識別手段と、
前記識別手段で識別した前記サーバのアドレスへ前記画像を登録する登録手段と、
前記登録手段で前記画像を登録した前記サーバのアドレスを前記識別手段で識別した前記画像の送信先へ送信するアドレス送信手段と
を備えていることを特徴とするファクシミリサーバ。
【請求項１７】
画像を受信する画像受信手段と、
前記画像受信手段で受信した画像に基づき画像の送信先を識別する識別手段と、
予め登録されたサーバのアドレスへ前記画像を登録する登録手段と、
前記登録手段で前記画像を登録した前記サーバのアドレスを前記識別手段で識別した送信先へ送信するアドレス送信手段と
を備えていることを特徴とするファクシミリサーバ。
【発明の詳細な説明】
【技術分野】
【０００１】
本発明は、所定のネットワークに接続されているサーバに画像を転送する画像転送装置、画像転送システム、画像転送方法、ファクシミリ装置およびファクシミリサーバに関する。
【背景技術】
【０００２】
近年、オフィス等ではパーソナルコンピュータやワークステーションがＬＡＮ（Local Area Network）等のネットワークに接続され、データの共有等を容易に行えるようになってきている。また、このＬＡＮ等のネットワークを利用して、ワークステーション等から一般のファクシミリにデータを送信したり、一般のファクシミリから送られるデータを受信する技術も考えられている。
【０００３】
このうち、ネットワークに接続されたワークステーションから一般のファクシミリにデータを送信するファクシミリサーバは、従来から種々のものが考えられている（特許文献１、特許文献２等参照）。
【０００４】
また、特許文献３では、スキャナで読み取った画像を圧縮し、指定された宛て先に電子メールとして送信する装置が開示されている。さらに、特許文献４では、ファクシミリデータを受信した場合、そのデータに付随してくる受信電話番号から宛て先を求め、ファクシミリデータを中身として電子メールを作成して送信する装置が開示されている。
【０００５】
【特許文献１】特開平２−２７７２７１号公報
【特許文献２】特開平２−９４９５９号公報
【特許文献３】特開平８−１０２８３７号公報
【特許文献４】特開平５−３０８５０３号公報
【発明の開示】
【発明が解決しようとする課題】
【０００６】
しかしながら、送信する画像を電子メールとして送信する場合、送信先のメールサーバへデータを転送することになり、少なからず送信先のメールサーバへ負担をかけることになる。つまり、通常メールサーバはテキストデータを対象としてその容量を設定していることから、画像データまたは画像データをテキストデータに変換した容量の大きなものを送信先のメールサーバへ転送することで、通常の電子メール以上に大きな負荷をかけてしまうことになる。
【０００７】
また、送信されるファクシミリデータを受信する場合においては、その受信したファクシミリデータに付随する受信電話番号から宛て先を求め、ファクシミリデータを中身として電子メールを作成して一旦メールサーバに保持される。このため、先と同様にメールサーバに大きな負荷がかかるという問題がある。
【０００８】
しかも、そのメールサーバに保持された電子メールはクライアント端末へ転送されることになるが、データを参照するだけならクライアント端末へ転送する必要はなく、転送を行うことでクライアント端末のディスク（記憶装置）のオーバーフローを起こすなどの問題が生じる。
【課題を解決するための手段】
【０００９】
本発明はこのような課題を解決するために成されたものである。すなわち、本発明は、画像を受信する画像受信手段と、画像受信手段で受信した画像をネットワークに接続されたサーバに登録する登録手段と、画像が登録されているサーバのアドレスを画像の送信先に送信するアドレス送信手段とを備える画像転送装置、ファクシミリ装置およびファクシミリサーバである。
【００１０】
また、本発明は、画像を受信する画像受信手段と、画像受信手段で受信した画像に基づき画像の送信先とサーバのアドレスとを識別する識別手段と、識別手段で識別したサーバのアドレスへ画像を登録する登録手段と、登録手段で画像を登録したサーバのアドレスを識別手段で識別した画像の送信先へ送信するアドレス送信手段とを備える画像転送装置、ファクシミリ装置およびファクシミリサーバである。
【００１１】
また、本発明は、画像を受信する画像受信手段と、画像受信手段で受信した画像に基づき画像の送信先を識別する識別手段と、予め登録されたサーバのアドレスへ画像を登録する登録手段と、登録手段で画像を登録したサーバのアドレスを識別手段で識別した送信先へ送信するアドレス送信手段とを備える画像転送装置、ファクシミリ装置およびファクシミリサーバである。
【００１２】
また、本発明は、画像を受信する画像受信手段、画像受信手段で受信した画像をネットワークに接続されたサーバに登録する登録手段、登録手段によって画像が登録されたサーバのアドレスを画像の送信先に送信するアドレス送信手段を備える画像転送装置と、アドレス送信手段によって送信されたサーバのアドレスから画像を参照可能にする端末とを有する画像転送システムである。
【００１３】
また、本発明は、画像を受信する工程と、受信した画像をネットワークに接続されたサーバに登録する工程と、画像が登録されているサーバのアドレスを画像の送信先に送信する工程とを有する画像転送方法である。
【００１４】
また、本発明は、画像を受信する工程と、受信した画像に基づきこの画像の送信先とサーバのアドレスとを識別する工程と、識別したサーバのアドレスへ画像を登録する工程と、画像を登録したサーバのアドレスを先に識別した画像の送信先へ送信する工程とを有する画像転送方法である。
【００１５】
また、本発明は、画像を受信する工程と、受信した画像に基づきこの画像の送信先を識別する工程と、予め登録されたサーバのアドレスへ画像を登録する工程と、画像を登録したサーバのアドレスを先に識別した送信先へ送信する工程とを有する画像転送方法である。
【００１６】
このような本発明では、画像受信手段で受信した画像を登録手段によってネットワークに接続されたサーバに登録している。また、画像の送信先にはアドレス送信手段によって画像が登録されたサーバのアドレスを電子メールとして送信していることから、送信先にはサーバのアドレスのみが通知されることになる。これにより、送信先のユーザは、送られてきたアドレスを用いてサーバにアクセスし、画像を参照できるようになる。
【００１７】
また、識別手段で受信した画像に基づいて電子メールアドレスとサーバのアドレスとを識別し、そのサーバのアドレスへ登録手段によって画像を登録している。また、画像の送信先には、識別手段で得たサーバのアドレスをメール送信手段が電子メールとして同じく識別手段で得た電子メールアドレスへ送信している。これにより、送信先のユーザにはサーバのアドレスのみが送信されることになり、ユーザは送られてきたサーバアドレスへアクセスすることで画像を参照できるようになる。
【発明の効果】
【００１８】
したがって、本発明によれば次のような効果がある。すなわち、送信する画像をサーバに登録し、そのサーバのアドレスのみを送信先に電子メールとして送信することから、送信先のメールサーバに負担をかけることなく送信先ユーザに画像を参照してもらうことが可能となる。また、画像を受けるユーザはその画像を参照し、必要に応じて自らの端末へ転写することができるため、容量の少ない端末の記憶装置のオーバーフローを防止できるようになる。
【発明を実施するための最良の形態】
【００１９】
以下に、本発明の実施の形態を図に基づいて説明する。図１は本実施形態における画像転送装置を説明するブロック図、図２はシステム構成図である。なお、本実施形態では、画像転送装置をファクシミリサーバに適用した例を説明する。
【００２０】
先ず、図２に基づいてシステム全体の構成を説明する。すなわち、この画像転送装置が適用されるシステムとしては、ＬＡＮ８０、１００に接続された複数のワークステーション（Ｗ／Ｓ）１０、１１、７０、７１、プロキシサーバ（Ｐｒｏｘｙ／Ｓ）１２、７２およびメールサーバ（Ｍａｉｌ／Ｓ）１３、７３と、ＬＡＮ８０、１００および公衆電話回線網９０の両方に接続されたファクシミリサーバ（ＦＡＸ／Ｓ）２０、６０とから構成されている。また、各ＬＡＮ８０、１００はコミュニケーションサーバ（Ｃ／Ｓ）３０、５０を介して専用線１１０によって接続されている。
【００２１】
ＬＡＮ８０、１００に接続されたプロキシサーバ１２、７２は主としてＷＷＷ（ワールド・ワイド・ウェブ）のデータを扱うサーバであり、メールサーバ１３、７３は電子メールを扱うサーバである。
【００２２】
図１に示すように、本実施形態におけるファクシミリサーバ２０、６０は、いずれも同じ構成となっており、操作部２００１、６００１、画像入力部２００２、６００２、画像記録部２００３、６００３、画像蓄積部２００４、６００４、画像登録部２００５、６００５、電子メール管理部２００６、６００６、回線インタフェース（Ｉ／Ｆ）２００７、６００７、画像変換部２００８、６００８、ＬＡＮインタフェース（Ｉ／Ｆ）２００９、６００９、配信先記憶部２０１０、６０１０、コントロールシート解析部２０１１、６０１１、ユーザ管理ファイル２０１２、６０１２を備えている。
【００２３】
このうち、操作部２００１、６００１はユーザによる所定の操作を受け付ける。また、画像入力部２００２、６００２はＬＡＮ８０、１００を介してワークステーションから送られる画像を取り込んだり、用紙の画像をスキャナで取り込む。画像記録部２００３、６００３は受信した画像を用紙に出力する。
【００２４】
また、画像蓄積部２００４、６００４は、画像入力部２００２、６００２で取り込んだ画像等を蓄積する。画像登録部２００５、６００５は、送信する画像をプロキシサーバ１２、７２の所定アドレスへ登録する。電子メール管理部２００６、６００６は、画像の送信先に対応する電子メールアドレスへ画像が登録されたプロキシサーバ１２、７２のアドレスを電子メールとして送信する。
【００２５】
また、回線Ｉ／Ｆ２００７、６００７は、公衆電話回線網９０を介したデータの入出力を行う。画像変換部２００８、６００８は、画像蓄積部２００４、６００４に蓄積された送信する画像を電子メールの書式に変換する。ＬＡＮ  Ｉ／Ｆ２００９、６００９は、ＬＡＮ８０、１００を介したデータの入出力を行う。
【００２６】
さらに、配信先記憶部２０１０、６０１０は、送信する画像を登録したプロキシサーバ１２、７２のアドレスや送信先に対応した電子メールアドレスを記憶する。コントロールシート解析部２０１１、６０１１は、後述するコントロールシートの読み取り内容を解析するもので、画像を登録するプロキシサーバ１２、７２のアドレスおよび送信先に対応した電子メールアドレスを識別する。ユーザ管理ファイル２０１２、６０１２は、電子メールアドレスとプロキシサーバアドレスとの対応付けを行うファイルである。
【００２７】
本実施形態のファクシミリサーバ２０、６０は、画像の送信にあたりその画像をプロキシサーバ１２、７２の所定のアドレスへ登録し、そのアドレスを電子メールとして送信先へ転送することで、送信先のメールサーバへ負担をかけることなくファクシミリデータを参照できるようにする点に特徴がある。
【００２８】
次に、このファクシミリサーバにおける画像の送信、受信の手順を図３、図４のフローチャートに沿って説明する。なお、以下の説明で図３、図４に示されない符号は特に示さない限り図１、図２を参照するものとする。また、ここでは、画像の送信をファクシミリサーバ２０で行い、画像の受信をファクシミリサーバ６０で行う場合を例とする。
【００２９】
初めに、画像の送信手順について説明する。先ず、ファクシミリサーバ２０の画像入力部２００２で原稿をスキャンして画像を取り込む（ステップＳ１０１）。なお、画像入力部２００２はＬＡＮ８０を介してワークステーション１０、１１から送信する画像を得るようにしてもよい。
【００３０】
次に、送信を行うユーザによってＷＷＷを使用するか、ＦＡＸ送信を使用するか、電子メールにするかの送信方法の選択を行う（ステップＳ１０２）。
【００３１】
ここでＷＷＷを使用する場合はステップＳ１０３へ進み、ＦＡＸ送信を使用する場合はステップＳ１０４へ進み、電子メールを使用する場合はステップＳ１０５へ進む。
【００３２】
先ず、ＦＡＸ送信の場合は、回線Ｉ／Ｆ２００７から公衆電話回線網９０を介して送信先のファクシミリサーバ６０へ画像をファクシミリとして送信する（ステップＳ１０４）。また、電子メールを使用する場合は、取り込んだ画像を画像変換部２００８で電子メールの書式に変換し（ステップＳ１０５）、一旦メールサーバ１３へ送信する（ステップＳ１０７）。メールサーバ１３に蓄積された電子メールは、専用線１１０を介して送信先のワークステーション７０、７１へ転送されるか、もしくはワークステーション７０、７１を操作するユーザによって受け取り操作が行われる。
【００３３】
また、ＷＷＷを使用する場合は、取り込んだ画像を画像登録部２００５がＬＡＮ８０を介してプロキシサーバ１２へ登録する（ステップＳ１０３）。その後、電子メール管理部２００６は、画像登録部が画像を登録したアドレス、すなわちプロキシサーバ１２のアドレスを電子メールとして送信先のメールサーバ７３へ送信する（ステップＳ１０６）。
【００３４】
これにより、送信先のユーザは、ワークステーション７０、７１を用いて電子メールとして送信されてきたアドレスを参照し、このアドレスに汎用のブラウザを用いてアクセスすることでプロキシサーバ１２に登録された画像すなわち送信されてきた画像を参照できるようになる。また、必要に応じてその画像をワークステーション７０、７１に取り込むこともできるようになる。
【００３５】
ここで、画像を送信する際の送信先に対応した電子メールアドレスと、画像の登録を行うプロキシサーバアドレスとを取得する方法の一例を説明する。図５はコントロールシートを説明する図である。このコントロールシート１２０は、送信する画像をスキャナで取り込む際に表紙などとして一緒に取り込むものであり、所定の登録番号を指定（黒塗り等で指定）できるようになっている。
【００３６】
また、コントロールシート１２０の４隅でかつ点対象にバーコード等から成るシート検出マーク１２０１〜１２０４が設けられており、任意の４方向のいずれからコントロールシート１２０を読み込んでも登録番号を検出できるようになっている。例えば、このシート検出マーク１２０１〜１２０４には、スキャン方向を示す縦順方向、縦逆方向などの属性情報が含まれており、コントロールシート１２０がスキューしてもその配置情報を基準として登録番号を認識できるようになっている。
【００３７】
ファクシミリサーバ２０のコントロールシート解析部２０１１は、読み込んだコントロールシート１２０の情報を解析し、選択された登録番号を認識して、図６に示すユーザ管理ファイル２０１２から、認識した登録番号と対応する電子メールアドレスおよびＷＷＷのアドレス（プロキシサーバアドレス）を獲得する。この獲得した電子メールアドレスとプロキシサーバアドレスとは配信先記憶部２０１０に記憶される。
【００３８】
画像の送信を行うファクシミリサーバ２０は、このように取得したプロキシサーバアドレスへ画像を登録し、そのプロキシサーバアドレスを電子メールアドレスに送信することになる。
【００３９】
なお、画像を登録するプロキシサーバアドレスや電子メールアドレスを獲得する方法としては、このようなコントロールシート１２０を用いる以外にも送信する画像にテキストデータとして付加したり、ワークステーションからファクシミリサーバ２０へ直接指示したり、操作部２００１からユーザが入力するようにしてもよい。
【００４０】
次に、ファクシミリサーバ６０が画像を受信した場合の処理について説明する。先ず、公衆電話回線網９０を介して送られてきたファクシミリ画像を受信した場合、ファクシミリサーバ６０はその受信したファクシミリ画像に基づいて画像の転送先を識別する（ステップＳ２０１）。
【００４１】
転送先の識別は、図５に示すようなコントロールシートによる方法や、送信の際に指示されたものを用いる。例えば、図５に示すコントロールシート１２０が送られてきた場合、コントロールシート解析部６０１１がコントロールシート１２０で選択された登録番号を識別し、その登録番号と対応するユーザ管理ファイル６０１２（図６参照）から電子メールアドレスとＷＷＷのアドレス（プロキシサーバアドレス）とを獲得する。
【００４２】
ここで、識別結果が得られればステップＳ２０３へ進み、得られなければステップＳ２０４へ進む。識別結果が得られた場合、ＷＷＷを使用するか否かの選択を行う（ステップＳ２０３）。
【００４３】
ＷＷＷを使用しない場合は受信したファクシミリ画像を画像変換部６００８で電子メールの書式に変換し（ステップＳ２０５）、ステップＳ２０１で識別した電子メールアドレスへ電子メールとして送信する（ステップＳ２０６）。
【００４４】
一方、ＷＷＷを使用する場合は、ステップＳ２０１で識別したプロキシサーバアドレスへ受信した画像を画像登録部６００５により登録する（ステップＳ２０７）。これにより、受信した画像はプロキシサーバ７２へ登録されることになる。
【００４５】
次に、その登録したプロキシサーバ７２のプロキシサーバアドレスを電子メールとして送信するため、画像変換部６００８で電子メールの書式を作成し（ステップＳ２０８）、電子メール管理部６００６がステップＳ２０１で識別した電子メールアドレスへ送信する（ステップＳ２０９）。
【００４６】
これにより、ファクシミリ画像を受けるユーザは、自らの電子メールアドレスに送信されたプロキシサーバアドレスの示された電子メールを参照し、このプロキシサーバアドレスへ汎用のブラウザを用いてアクセスすることで、送られてきたファクシミリ画像を参照できるようになる。また、必要に応じてその画像をワークステーションに取り込むこともできるようになる。
【００４７】
また、ステップＳ２０２で転送先の識別ができなかった場合は、ステップＳ２０４のエラー処理を行う。エラー処理としては、管理者への通知もしくはプリントアウトとなる。
【００４８】
管理者へ通知を行う場合には、ＷＷＷを使用するか否かの判断を行う（ステップＳ２０３）、使用しない場合には送られてきたファクシミリ画像を電子メールとして送るため画像変換部６００８で電子メールの書式に変換し（ステップＳ２０５）、予め決められている管理者の電子メールアドレスへ送信する（ステップＳ２０６）。
【００４９】
また、ＷＷＷを使用する場合には、予め決められているプロキシサーバアドレスへファクシミリ画像を登録し（ステップＳ２０７）、そのプロキシサーバアドレスを電子メールの書式に変換し（ステップＳ２０８）、予め決められている管理者の電子メールアドレスへそのプロキシサーバアドレスを電子メールとして送信する（ステップＳ２０９）。
【００５０】
一方、ステップＳ２０４のエラー処理としてプリントアウトを選択した場合には、受信したファクシミリ画像を画像記録部６００３によって用紙にプリントアウトする（ステップＳ２１０）。
【００５１】
以上のような画像の送受信処理によって、通常容量の少ないメールサーバ１３、７３に負担をかけることなくファクシミリ画像の送受信を行うことが可能となる。
【００５２】
なお、上記説明した画像送信においてプロキシサーバ１２へ画像を登録する場合、コントロールシート等によってユーザ管理ファイル２０１２から得たプロキシサーバアドレスへ画像を登録するようにしたが、ＬＡＮ８０に複数のプロキシサーバが接続されている場合、画像登録部２００５がそのうち空き容量の多いものを選択し、そのプロキシサーバへ画像を登録するようにしてもよい。また、画像を登録するサーバとしてはプロキシサーバに限定されるものではない。
【００５３】
さらに、本実施形態では画像転送装置をファクシミリサーバ２０、６０に適用する例を説明したが、このような別個の装置として構成される以外に、各ワークステーション１０、１１、７０、７１に組み込まれるプログラム（例えば、ファクシミリソフトウェア）として構成してもよい。
【図面の簡単な説明】
【００５４】
【図１】本実施形態の画像転送装置を説明するブロック図である。
【図２】システム構成図である。
【図３】画像の送信手順を説明するフローチャートである。
【図４】画像の受信手順を説明するフローチャートである。
【図５】コントロールシートを説明する図である。
【図６】ユーザ管理ファイルの例を示す図である。
【符号の説明】
【００５５】
１２…プロキシサーバ、１３…メールサーバ、２０…ファクシミリサーバ、２００２…画像入力部、２００５…画像登録部、２００６…電子メール管理部
【図１】
2005117672.tif 000003
【図２】
2005117672.tif 000004
【図３】
2005117672.tif 000005
【図４】
2005117672.tif 000006
【図５】
2005117672.tif 000007
【図６】
2005117672.tif 000008